【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
１つ又はそれ以上の積層体に熱及び圧力を加えることによって得られる、１つ又はそれ以上の装飾性材料が埋封された熱可塑性物品であって、前記積層体の少なくとも１つが、順に、（１）上部シート材料、（２）１つ又はそれ以上の装飾性材料及び（３）下部シート材料を含んでなり、その上部及び下部シート材料が
（ａ）脂肪族もしくは脂環族ジカルボン酸及び／又は芳香族ジカルボン酸よりなる群から選ばれる二酸残基成分であって、前記芳香族ジカルボン酸の芳香族部分が炭素原子６〜２０を有し、前記脂肪族もしくは脂環族ジカルボン酸の脂肪族もしくは脂環族部分が炭素原子３〜２０を有する二酸残基成分；並びに、１，４−シクロヘキサンジメタノール４５〜１００モル％及び、必要に応じて、炭素原子２〜２０の、少なくとも１種の付加的な脂肪族グリコールを含み；そのグリコール成分についての合計のモル％が１００モル％に等しい、グリコール残基成分を含むポリエステル１〜９９重量％、
（ｂ）芳香族ポリカーボネート９９〜１重量％、
を含んでなる、ポリエステル／芳香族ポリカーボネートブレンドから形成され；そのポリエステル／ポリカーボネートブレンド中の、ポリエステル及びポリカーボネートの組合せ合計重量百分率が１００重量％である熱可塑性物品。
【請求項２】
ポリエステル／芳香族ポリカーボネートブレンドが前記ポリエステル５０〜９０重量％及び前記芳香族ポリカーボネート５０〜１０重量％を含む請求項１に記載の熱可塑性物品。
【請求項３】
ポリエステル／芳香族ポリカーボネートブレンドが前記ポリエステル６０〜８０重量％及び前記芳香族ポリカーボネート４０〜２０重量％を含む請求項２に記載の熱可塑性物品。
【請求項４】
ポリエステル／芳香族ポリカーボネートブレンド中のポリエステルが、式：
【化１】
2006507163.tif 000001
（式中、Ｒは１，４−シクロヘキサンジメタノール４５〜１００モル％及び炭素原子２〜２０の少なくとも１種のアリール、アルカンもしくはシクロアルカン含有ジオール又はその化学的均等物５５〜０モル％の残基を含むジオール残基成分であり；Ｒ1は炭素原子３〜２０のアリール、脂肪族もしくはシクロアルカン含有二酸、又はその化学的均等物から誘導されたジカルボン酸残基を含む二酸残基成分である）
を含む請求項１に記載の熱可塑性物品。
【請求項５】
前記ポリエステルの前記ジオール残基成分がエチレングリコール、１，２−プロピレングリコール、１，３−プロパンジオール、１，４−ブタンジオール、１，５−ペンタンジオール、１，６−ヘキサンジオール、１，２−又は１，３−シクロヘキサンジメタノール、ネオペンチルグリコール及び２，２，４，４−テトラメチル−１，３−シクロブタンジオールよりなる群から選ばれる請求項４に記載の熱可塑性物品。
【請求項６】
前記ポリエステルの前記二酸残基成分がマロン酸、コハク酸、グルタル酸、アジピン酸、ピメリン酸、スベリン酸、アゼライン酸、セバシン酸、ドデカンジ酸、１，４−、１，５−及び２，６−デカヒドロナフタレンジカルボン酸、シス−又はトランス−１，４−シクロヘキサンジカルボン酸、テレフタル酸、イソフタル酸、４，４’−ビフェニルジカルボン酸、トランス−３，３’−及びトランス−４，４−スチルベンジカルボン酸、４，４’−ジベンジルジカルボン酸並びに１，４−、１，５’−、２，３−、２，６−及び２，７−ナフタレンジカルボン酸よりなる群から選ばれる請求項４に記載の熱可塑性物品。
【請求項７】
前記ポリエステル／芳香族ポリカーボネートブレンドの前記ポリエステルがテレフタル酸及び１，４−シクロヘキサンジメタノールを含む請求項１に記載の熱可塑性物品。
【請求項８】
前記ポリエステル／芳香族ポリカーボネートブレンドの前記ポリエステルがテレフタル酸、１，４−シクロヘキサンジメタノール及びエチレングリコールを含む請求項７に記載の熱可塑性物品。
【請求項９】
前記ポリエステルがテレフタル酸８０〜１００モル％、１，４−シクロヘキサンジメタノール４５〜１００モル％及びエチレングリコール０〜５５モル％を含む請求項４に記載の熱可塑性物品。
【請求項１０】
前記ポリエステルがテレフタル酸８０〜１００モル％、１，４−シクロヘキサンジメタノール６０〜８０モル％及びエチレングリコール４０〜２０モル％を含む請求項９に記載の熱可塑性物品。
【請求項１１】
前記ポリエステル／芳香族ポリカーボネートブレンドの前記ポリエステルがテレフタル酸、イソフタル酸及び１，４−シクロヘキサンジメタノールを含む請求項１に記載の熱可塑性物品。
【請求項１２】
前記ポリエステルがテレフタル酸５０〜９５モル％、イソフタル酸５〜５０モル％及び１，４−シクロヘキサンジメタノール９０〜１００モル％を含む請求項１１に記載の熱可塑性物品。
【請求項１３】
前記ポリエステルが１，４−シクロヘキサンジメタノール１００モル％を含む請求項１２に記載の熱可塑性物品。
【請求項１４】
前記ポリエステルが多官能酸、多官能グリコール及び酸／グリコール複合体よりなる群から選ばれる分岐剤を含む請求項１に記載の熱可塑性物品。
【請求項１５】
前記分岐剤がトリメシン酸、ピロメリット酸、無水トリメリット酸、無水ピロメリット酸、トリメチロールプロパン、ヒドロキシルテレフタル酸ジメチル及びペンタエリスリトールよりなる群から選ばれる請求項１４に記載の熱可塑性物品。
【請求項１６】
前記芳香族ポリカーボネートが１種又はそれ以上の二価フェノールのカルボネート前駆体との反応により製造される請求項１に記載の熱可塑性物品。
【請求項１７】
前記二価フェノールが２，２−ビス（４−ヒドロキシフェニル）プロパン、３，３，５−トリメチル−１，１−ビス（４−ヒドロキシフェニル）シクロヘキサン、２，４−ビス（４−ヒドロキシフェニル）−２−メチル−ブタン、１，１−ビス（４−ヒドロキシフェニル）シクロヘキサン、α，α’−ビス（４−ヒドロキシフェニル）−ｐ−ジイソプロピルベンゼン、２，２−ビス（３−メチル−４−ヒドロキシフェニル）プロパン、２，２−ビス（３−クロロ−４−ヒドロキシフェニル）プロパン、ビス−（３，５−ジメチル−４−ヒドロキシフェニル）メタン、２，２−ビス（３，５−ジメチル−４−ヒドロキシフェニル）プロパン、ビス−（３，５−ジメチル−４−ヒドロキシフェニル）スルフィド、ビス−（３，５−ジメチル−４−ヒドロキシフェニル）スルホキシド、ビス−（３，５−ジメチル−４−ヒドロキシフェニル）スルホン、ジヒドロキシベンゾフェノン、２，４−ビス（３，５−ジメチル−４−ヒドロキシフェニル）シクロヘキサン、α，α’−ビス（３，５−ジメチル−４−ヒドロキシフェニル）−ｐ−ジイソプロピルベンゼン、４，４’−スルホニルジフェノール、ヒドロキノン、レゾールシノール、ビス−（ヒドロキシフェニル）アルカン、ビス−（ヒドロキシフェニル）エーテル、ビス−（ヒドロキシフェニル）ケトン、ビス−（ヒドロキシフェニル）スルホキシド、ビス−（ヒドロキシフェニル）スルフィド、ビス−（ヒドロキシフェニル）スルホン類及びα，α−ビス（ヒドロキシフェニル）ジイソプロピルベンゼンよりなる群から選ばれる請求項１に記載の熱可塑性物品。
【請求項１８】
前記二価フェノールが２，２−ビス（４−ヒドロキシフェニル）プロパンである請求項１７に記載の熱可塑性物品。
【請求項１９】
前記カルボネート前駆体がカルボニルハライド、ジアリールカルボネート及びビスハロホルメートよりなる群から選ばれる請求項１６に記載の熱可塑性物品。
【請求項２０】
前記カルボニルハライドがカルボニルブロマイド、カルボニルクロライド及びそれらの混合物よりなる群から選ばれる請求項１９に記載の熱可塑性物品。
【請求項２１】
前記ビスハロホルメートが２，２−ビス（４−ヒドロキシフェニル）プロパン、ヒドロキノンのビスクロロホルメート及びグリコールのビスハロホルメートよりなる群から選ばれる請求項１９に記載の熱可塑性物品。
【請求項２２】
前記カルボニルハライドがカルボニルクロライドである請求項２０に記載の熱可塑性物品。
【請求項２３】
前記ジアリールカルボネートがジフェニルカルボネートである請求項１９に記載の熱可塑性物品。
【請求項２４】
前記ポリカーボネートが三又は四官能性フェノール、炭酸及び炭酸側鎖を有するビスフェノールよりなる群から選ばれる１種又はそれ以上の分岐剤を含む請求項１に記載の熱可塑性物品。
【請求項２５】
前記ポリカーボネートが１，４−ビス（４’，４”−ジヒドロキシトリフェニルメチル）ベンゼン及びトリスフェノールＴＣよりなる群から選ばれる１種又はそれ以上の分岐剤を含む請求項１に記載の熱可塑性物品。
【請求項２６】
前記ポリカーボネートが窒素含有分岐剤を含む請求項１に記載の熱可塑性物品。
【請求項２７】
前記ポリカーボネートがシアン酸クロリド及び３，３−ビス（４−ヒドロキシフェニル）−２−オキソ−２，３−ジヒドロインドールよりなる群から選ばれる１種又はそれ以上の分岐剤を含む請求項１に記載の熱可塑性物品。
【請求項２８】
前記配合物が耐衝撃改良剤、ＵＶ安定剤、亜リン酸安定剤、成核剤、増量剤、難燃剤、補強剤、充填剤、帯電防止剤、離型剤、着色剤、酸化防止剤、押出助剤、滑剤、剥離剤、カーボンブラック及びその他の顔料よりなる群から選ばれる１種又はそれ以上の添加剤を含む請求項１に記載の熱可塑性物品。
【請求項２９】
前記装飾性材料が金属のワイヤー、ロッド又はバー；天然繊維、ガラス繊維、鉱物繊維、布帛、紙；及び印刷層よりなる群から選ばれる請求項１に記載の熱可塑性物品。
【請求項３０】
その上部及び下部シート材料が０．７６〜６．４ｍｍの範囲の厚さを有し、且つ前記装飾性材料の厚さが０．２５４〜５．０８ｍｍの範囲である請求項１に記載の熱可塑性物品。
【請求項３１】
前記物品がその物品の一方又は両方の表面上に耐摩耗性被覆を含む請求項１に記載の熱可塑性物品。
【請求項３２】
前記耐摩耗性被覆が厚さ０．０１２７〜０．２５４ｍｍの範囲のフィルムとして供給される請求項３１に記載の熱可塑性物品。
【請求項３３】
前記耐摩耗性フィルムが０．０１７〜０．２５４ｍｍの範囲の厚さを有する、フッ素化炭化水素フィルム、ポリ（パーフルオロエチレン）フィルム、アクリルフィルム又は延伸ポリエチレンテレフタレートフィルムとして供給される請求項３１に記載の熱可塑性物品。
【請求項３４】
前記耐摩耗性被覆がポリ塩化ビニル、ＰＥＴＧコポリエステル、ポリエチレンテレフタレート、ポリメチルメタクリレート又はポリカーボネートのフィルム上の、熱、紫外線又は電子線硬化物質である請求項３１に記載の熱可塑性物品。
【請求項３５】
前記耐摩耗性被覆が熱硬化されたシリコーン、ポリウレタンもしくはフッ素化ポリウレタン又は紫外線もしくは電子線で硬化された、ポリウレタン、フッ素化ポリウレタン、シリコーン、エポキシ、ポリエステル、ポリエーテルもしくはカプロラクトン残基を含む変性アクリレートから選ばれる物質である請求項３１に記載の熱可塑性物品。
【手続補正２】
【補正対象書類名】明細書
【補正対象項目名】０００６
【補正方法】変更
【補正の内容】
【０００６】
【特許文献１】米国特許第５，８９４，０４８号明細書
【特許文献２】米国特許第５，９５８，５３９号明細書
【特許文献３】米国特許第５，９９８，０２８号明細書
【特許文献４】米国特許第５，６４３，６６６号明細書
【特許文献５】米国特許第６，０２５，０６９号明細書
【特許文献６】米国特許第５，４１３，８７０号明細書